(57)【要約】【課題】貼付された故人の写真や故人に関する文字情報を長期間に亘って鮮明な状態で維持することが可能な骨壷を提供する。【解決手段】骨壷１は、本体２と蓋３とを備え、円筒形の本体２の表面には、故人の写真４と故人に関する文字情報５とが表示された積層体６が貼付されている。画紙７の上面８に、故人の写真４と故人に関する文字情報５とが表示され、この上面８に対して、樹脂からなるカバー１０が圧着により積層されて、積層体６が形成されている。画紙７に対してカバー１０を圧着する方法は、例えば熱圧着によることができる。積層体６は、画紙７の下面９に接着剤が塗布されて骨壷１の本体２の側面に貼付される。積層体６の側面１１には、防水性の塗料が塗布されている。【選択図】図１
0003138386.tif 000002
【実用新案登録請求の範囲】
【請求項１】
故人の写真と故人に関する文字情報とのいずれか一方または両方が表示された画紙上に、樹脂からなるカバーが圧着して積層された積層体が貼付された骨壷。
【請求項２】
前記積層体の側面に対して、防水性の塗料が塗布されている請求項１記載の骨壷。
【請求項３】
前記カバーは紫外線吸収性の樹脂からなるものである請求項１または２記載の骨壷。
【請求項４】
前記写真は、その色彩または構図が画像処理されたものである請求項１から３のいずれかに記載の骨壷。
【考案の詳細な説明】
【技術分野】
【０００１】
本考案は、故人の写真や故人に関する情報が付された骨壷に関する。
【背景技術】
【０００２】
骨壷は、故人の遺骨を納めて保存するものであり、その子孫が故人の生前の様子を偲ぶためにも重要なものである。遺骨は、子孫代々に亘って保存されるべきものであることから、遺骨を納める骨壷は、故人に関する情報が明示されるようにして、故人を特定することができるようにすることが、故人を偲ぶ上でも重要な要素となる。
【０００３】
このような観点から、故人の写真を貼付した骨壷が、特許文献１に記載されている。また、写真をサンドブラストできる点画に加工し、骨壷の表面に点画をサンドブラストにて彫刻した骨壷が、特許文献２に記載されている。また、表面に凹部を形成した陶磁器製骨壷本体と、この凹部に装着されて表面に画像や文字を転写した陶磁器製プレートとを備えたペット用骨壷が、特許文献３に記載されている。
【０００４】
【特許文献１】特開２００２−２９１８１９号公報
【特許文献２】特開２０００−０９３４６９号公報
【特許文献３】特開２００２−２２４１７８号公報
【考案の開示】
【考案が解決しようとする課題】
【０００５】
しかし、特許文献１には、単に写真を貼付することが記載されているのみで、具体的な方法については記載されていない。骨壷は世代を超えて長年に亘って保存されるものであるため、骨壷に故人の写真を貼付するにあたって、写真も長期間鮮明な状態で保存されることが必要であり、保存状態が悪いために写真が汚れると、かえって遺族の心証を悪くしてしまう。また、故人の写真ばかりでなく、故人の人生に関わる情報を文字で残したものを併せて骨壷表面に表示しておくと、故人に関する記憶が鮮明に蘇り、故人に対する追悼の意を表しやすい。しかし、文字情報は、写真以上に湿気などによってにじみやすく、長期間の保存が難しい。
【０００６】
また、特許文献２に記載されているものは、サンドブラストを用いているため、長い年数が経過して、骨壷表面に苔が生えたような場合に、これを綺麗にするためには、表面を削ることになるが、こうすると、サンドブラストで表現された点画が損傷を受けることとなる。
【０００７】
また、特許文献３に記載されているものは、陶磁器製プレートを骨壺本体に取り付けるための凹部を予め形成することが必要であり、一般的な形状の骨壺をそのまま利用することができない。
【０００８】
本考案は、このような事情を考慮してなされたもので、貼付された故人の写真や故人に関する文字情報を長期間に亘って鮮明な状態で維持することが可能な骨壷を提供することを目的とする。
【課題を解決するための手段】
【０００９】
以上の課題を解決するために、本考案の骨壷は、故人の写真と故人に関する文字情報とのいずれか一方または両方が表示された画紙上に、樹脂からなるカバーが圧着して積層された積層体が貼付されたものである。
【００１０】
故人の写真と故人に関する文字情報とのいずれか一方または両方が表示された画紙上に、樹脂からなるカバーが圧着して積層されているため、特許文献１に記載のもののように、写真や文字情報が直接外気に触れることがなく、骨壷上に表示される故人の写真や文字情報が長期間に亘って鮮明な状態で保存される。特に、文字情報は細かい字で表示されることが多く保存が難しいが、カバーによって外気に触れることが無く、保存状態が良い。
【００１１】
また、画紙とカバーとの積層体の表面が汚れても、表面は滑らかなカバーの面であるため、その表面を拭くだけで綺麗になり、特許文献２に記載のもののように、表面を削る必要がないため、写真を損傷することがない。
【００１２】
また、画紙とカバーとの積層体を貼付するものであるから、特許文献３に記載のもののように、陶磁器製プレートを骨壺本体に取り付けるための凹部を予め形成する必要がなく、一般的な形状の骨壺をそのまま利用することができるため、利便性が高い。
【００１３】
本考案の骨壷においては、前記積層体の側面に対して、防水性の塗料が塗布されていることが好ましい。
【００１４】
積層体の側面は、画紙上にカバーを圧着して積層したものを厚み方向に切断して形成されるため、そのままでは切断の際の凹凸が残っているが、この面に塗料を塗布することによって面を平滑化することができ、長時間経過しても積層体としての形状を維持しやすくなるため、積層体の破壊や剥がれを抑制することができる。
【００１５】
また、この側面は面積としてはわずかではあるが、骨壺は世代を超えて極めて長期間保存されるものであるため、わずかな水分の侵入があっても画紙上の写真や文字情報の保存に悪影響を与える。そのため、積層体の側面に防水性の塗料を塗布することにより、水分の侵入を防止することができ、写真や文字情報の保存性を高めることができる。
【００１６】
本考案の骨壷においては、前記カバーは紫外線吸収性の樹脂からなるものであることが好ましい。
【００１７】
カバーを紫外線吸収性の樹脂によって形成することにより、太陽光が当たる場所であっても、写真の色彩の経年変化を抑制することができ、長期間の保存がしやすい。また、太陽光が比較的当たりにくい場所で保存する場合であっても、骨壺は世代を超えて極めて長期間保存されるものであるから、太陽光がわずかに当たる状況であっても、時間的蓄積による影響を受けやすいという特質がある。そのため、紫外線吸収性の樹脂を用いると、このような状況下においても、良好な保存が可能である。
【００１８】
本考案の骨壷においては、前記写真は、その色彩または構図が画像処理されたものであることが好ましい。
【００１９】
画像処理することにより、添付される写真の自由度が増して、多様な利用者のニーズに応えることができるとともに、色彩を加工することによって、経年変化に耐えられる色彩を選択することができ、保存がしやすくなる。この点は、単に原図である写真をそのまま貼付するものと比べて有利である。
【考案の効果】
【００２０】
本考案によると、貼付された故人の写真や故人に関する文字情報を長期間に亘って鮮明な状態で維持することが可能な骨壷を実現することができる。そのため、骨壺を介して子孫代々に亘って故人を偲ぶことができる。
【考案を実施するための最良の形態】
【００２１】
以下に、本考案の骨壷を、その実施形態に基づいて説明する。
図１（ａ）に、本考案の実施形態に係る骨壷の外観を示す。図１（ａ）において、骨壷１は、本体２と蓋３とを備え、円筒形の本体２の表面には、故人の写真４と故人に関する文字情報５とが表示された積層体６が貼付されている。故人に関する文字情報５として、具体的には、故人の氏名、戒名、法名、生年月日、亡月日、享年、経歴、故人の愛した言葉等が挙げられる。
【００２２】
図１（ｂ）に、積層体６の詳細を示す。図１（ｂ）において、画紙７の上面８に、故人の写真４と故人に関する文字情報５とが表示され、この上面８に対して、樹脂からなるカバー１０が圧着されて積層されている。画紙７に対してカバー１０を圧着する方法は、例えば熱圧着によることができる。画紙７とカバー１０との境界面に極力空気が入らないように仕上げておくことが好ましい。
【００２３】
積層体６は、画紙７の下面９に接着剤が塗布されて骨壷１の本体２の表面に貼付される。拾骨の際には、骨壷１はかなりの高温となるため、画紙７はこの高温に耐えられる高耐熱性のものが用いられる。また、骨壺の表面は通常曲面であるため、積層体６を貼付したときに反りが発生しないように、画紙７として比較的柔らかい素材のもの用いるのが良い。
【００２４】
積層体６の側面１１には、防水性の塗料が塗布されている。積層体６は、図２（ａ）に示すように、画紙７の上に、これよりサイズの大きいカバー１０を配置して圧着した後、画紙７からはみ出したカバー１０の余分な部分を、図示する切断位置にて切り落として、図２（ｂ）に示す形状となるように形成されるため、そのままの状態であると、積層体６の側面１１は、切断時の凹凸が残ったままとなり、この凹凸を起因として強度が低下して剥がれの原因となったり、ここから水分が浸入して写真４や文字情報５の保存に悪影響を及ぼしたりする。このことを考慮して、積層体６の側面１１に防水性の塗料を塗布して、写真４や文字情報５の保存性を高めている。防水性の塗料として、ニス等を使用することができる。
【００２５】
写真４は、原図の色彩や構図を、コンピュータ等を用いて画像処理したものを用いている。特に、色彩を画像処理によって加工しておくと、経年変化に耐えるようにすることも可能である。また、カバー１０を紫外線吸収性の樹脂で形成すると、太陽光の照射による影響を受けにくくなり、長期間の保存に耐えられるようになる。
【産業上の利用可能性】
【００２６】
本考案は、貼付された故人の写真や故人に関する文字情報を長期間に亘って鮮明な状態で維持することが可能な骨壷として利用することができる。
【図面の簡単な説明】
【００２７】
【図１】本考案の実施形態に係る骨壷を示す図である。
【図２】積層体の形成過程を示す図である。
【符号の説明】
【００２８】
１  骨壷
２  本体
３  蓋
４  写真
５  文字情報
６  積層体
７  画紙
８  上面
９  下面
１０  カバー
１１  側面
【図１】
0003138386.tif 000003
【図２】
0003138386.tif 000004